(57)【要約】【課題】ハードディスクレコーダにおいて、ユーザが、特定文字が含まれる場面を探す手間を軽減すると共に、プレゼント等に応募するための葉書の作成、特定文字が含まれる場面からのＴＶ番組の再生の際における手間の軽減、又は特定文字が示すホームページの閲覧の手間の軽減を行う。【解決手段】制御用マイコンは、ＴＶ番組をＨＤＤに記録するときに（Ｓ１）、ＴＶ番組の映像に含まれる文字を認識した後（Ｓ２）、この認識した文字に対して、特定文字が含まれるか否かを検知する（Ｓ３）。この検知の結果、特定文字が含まれていると検知した場合（Ｓ４でＹＥＳ）、特定文字が含まれる映像の静止画をパソコンに送信する（Ｓ５）。パソコンは、この静止画に含まれる特定文字を認識して（Ｓ６）、印刷データ及び葉書印刷用の制御コマンドを、プリンタに送信し（Ｓ７）、プリンタ５が、印刷データ及び制御コマンドに従って葉書を印刷し（Ｓ８）、処理を終了する。【選択図】図３
2007228206.tif 000002
【特許請求の範囲】
【請求項１】
葉書を印刷することが可能である印刷機に接続されたコンピュータにネットワークを介して接続され、
前記コンピュータとの間でデータの送受信を行うためのネットワークインタフェースと、
テレビジョン放送信号に基づく映像及び音声を含むＴＶ番組を記録するためのハードディスクと、
装置各部を制御する制御手段とを備えたハードディスクレコーダにおいて、
前記ＴＶ番組の映像に含まれる文字を認識する文字認識手段と、
前記文字認識手段が認識した文字に、郵便番号、住所、又は日付などの懸賞応募情報を案内する文字（以下、特定文字という）が含まれているか否かを検知する特定文字検知手段とをさらに備え、
前記制御手段は、
前記ＴＶ番組を前記ハードディスクに記録するときに、前記文字認識手段を用いて、該ＴＶ番組の映像に含まれる文字を認識した後、この認識した文字に対して、前記特定文字検知手段を用いて、特定文字が含まれるか否かを検知し、
前記検知の結果、特定文字が含まれていると検知した場合、特定文字が含まれている映像の静止画を前記コンピュータに送信し、該コンピュータに接続された印刷機が、該静止画に含まれている特定文字を葉書に印刷するように制御することを特徴とするハードディスクレコーダ。
【請求項２】
テレビジョン放送信号に基づく映像及び音声を含むＴＶ番組を記録するためのハードディスクと、
前記ハードディスクに記録されたＴＶ番組の再生、又はＴＶ番組の再生場面の選択などの操作をするためにユーザにより操作される操作手段と、
装置各部を制御する制御手段とを備えたハードディスクレコーダにおいて、
前記ＴＶ番組の映像に含まれる文字を認識する文字認識手段と、
前記文字認識手段が認識した文字に、安売り、生活雑貨、又はレストランなどの店舗情報を案内する文字（以下、特定文字という）が含まれているか否か検知する特定文字検知手段と、
前記ＴＶ番組の再生開始からの経過時間を前記ハードディスクに記録する経過時間記録手段とをさらに備え、
前記制御手段は、
前記ＴＶ番組を前記ハードディスクに記録するときに、前記文字認識手段を用いて、該ＴＶ番組の映像に含まれる文字を認識した後、この認識した文字に対して、前記特定文字検知手段を用いて、特定文字が含まれるか否かを検知し、
前記検知の結果、特定文字が含まれていると検知した場合、前記経過時間記録手段を用いて、ＴＶ番組の再生開始から特定文字が含まれている場面までの経過時間を、前記ハードディスクに記録し、
前記操作手段を用いてユーザにより、前記ハードディスクに記録された、前記特定文字が含まれる場面の再生が選択されると、該特定文字が含まれる場面から前記ＴＶ番組を再生することを特徴とするハードディスクレコーダ。
【請求項３】
インターネット上のホームページ等を閲覧することができるブラウザ機能を有するコンピュータにネットワークを介して接続され、
前記コンピュータとの間でデータの送受信を行うためのネットワークインタフェースと、
テレビジョン放送信号に基づく映像及び音声を含むＴＶ番組を記録するためのハードディスクと、
装置各部を制御する制御手段とを備えたハードディスクレコーダにおいて、
前記ＴＶ番組の映像に含まれる文字を認識する文字認識手段と、
前記文字認識手段が認識した文字に、ＵＲＬ（Ｕｎｉｆｏｒｍ  Ｒｅｓｏｕｒｃｅ  Ｌｏｃａｔｏｒ）などのホームページを案内する文字（以下、特定文字という）が含まれているか否か認識する特定文字検知手段とをさらに備え、
前記制御手段は、
前記ＴＶ番組を前記ハードディスクに記録するときに、前記文字認識手段を用いて、該ＴＶ番組の映像に含まれる文字を認識した後、この認識した文字に対して、前記特定文字検知手段を用いて、特定文字が含まれるか否かを検知し、
前記検知の結果、特定文字が含まれていると検知した場合、認識した特定文字を前記コンピュータに送信することを特徴とするハードディスクレコーダ。
【請求項４】
テレビジョン放送信号に基づく映像及び音声を含むＴＶ番組を記録するハードディスクと、
装置各部を制御する制御手段とを備えたハードディスクレコーダにおいて、
前記ＴＶ番組の映像に含まれる文字を認識する文字認識手段と、
前記文字認識手段が認識した文字に、住所、電話番号、ＵＲＬ等のユーザへの案内情報を表す文字（以下、特定文字）が含まれるか否かを検知する特定文字検知手段と、
前記ＴＶ番組の再生開始からの経過時間を前記ハードディスクに記録する経過時間記録手段とをさらに備え、
前記制御手段は、
前記ＴＶ番組を前記ハードディスクに記録するときに、前記文字認識手段を用いて、該ＴＶ番組の映像に含まれる文字を認識した後、この認識した文字に対して、前記特定文字検知手段を用いて、特定文字が含まれるか否かを検知し、
前記検知の結果、特定文字が含まれていると検知した場合、前記経過時間記録手段を用いて、ＴＶ番組の再生開始から特定文字が含まれている場面までの経過時間を、前記ハードディスクに記録することを特徴とするハードディスクレコーダ。
【発明の詳細な説明】
【技術分野】
【０００１】
本発明は、ハードディスクレコーダに関し、特にハードディスクに記録するＴＶ番組の文字認識に関する。
【背景技術】
【０００２】
近年、ＴＶ番組は、様々な案内情報を表示している。案内情報の中には、プレゼントに関する応募の宛先を示す郵便番号、住所、締め切り日付や、ＴＶ番組内で紹介した店舗情報を示す電話番号、住所、地図、インターネット上のホームページを示すＵＲＬ（Ｕｎｉｆｏｒｍ  Ｒｅｓｏｕｒｃｅ  Ｌｏｃａｔｏｒ）などの文字（以下、特定文字という）が含まれることがある。
【０００３】
また、近年、ユーザは、案内情報が含まれるＴＶ番組をハードディスクレコーダに記録し、記録したＴＶ番組を再生して、特定文字が含まれる場面の静止画を見ることにより、そこに記載されたプレゼントの応募宛先、店舗情報などの特定文字を読み取り、葉書等の応募手段への記入や、パソコン等により記載されたＵＲＬへアクセスすることがある。しかし、ユーザは、ハードディスクに記録したＴＶ番組の中から特定文字が含まれる場面を探すために、ハードディスクに記録したＴＶ番組を再生、早送り、又は巻き戻し等の手動操作を行うことにより、特定文字が含まれる場面を探し出し、探し出した場面に、リモコン等を用いて映像の見出し（いわゆるチャプター）を付加する必要がある。そのため、ユーザの操作が煩雑であるという問題がある。
【０００４】
ところで、特許文献１の発明は、特典情報と連動するＣＭを含むＴＶ番組を表示する表示手段と、ＣＭが視聴されているか否かチェックするチェック手段と、ＣＭの視聴時間から特典情報の有効期限を算出する有効期限演算手段と、ユーザがＣＭを視聴した視聴時間に基づきユーザ毎にＩＤを算出するＩＤ算出手段とを備え、ユーザが視聴したＣＭ時間によって、ユーザ毎に異なる特典情報が表示手段に表示される番組配信システムである。
【０００５】
また、特許文献２の発明は、受信したＴＶ番組の中から、ハイライトシーンを検出して、これらをハードディスクに記録し、ＴＶ番組のＣＭ放送が開始されたとき、ハードディスクから記録されているハイライトシーンを読み出して再生するハードディスクレコーダである。
【０００６】
また、特許文献３の発明は、ハードディスクに予め地図情報を記録させ、電話番号、住所などの付加情報が重畳されたＣＭが放送されたとき、付加情報を取得する付加情報取得部が、ＣＭの付加情報を取得し、ハードディスクに記録されている地図情報とＣＭの付加情報をリンクさせることにより、ＣＭに関する地図情報をユーザに提供することができるハードディスクレコーダである。
【０００７】
また、特許文献４の発明は、ＣＭを蓄積して記録する記録手段を備え、記録手段は、事業者が提供するＣＭの他に、ユーザが必要な情報等を自動的に選択受信して記録することができるハードディスクレコーダである。そのため、ユーザは、常に最新の情報を利用可能である。
【０００８】
しかし、上記特許文献１乃至特許文献４に記載された発明では、ユーザが、プレゼント応募等の応募用の葉書を作成する手間の軽減、特定文字が含まれる場面からのＴＶ番組の再生の際における手間の軽減、又は特定文字が示すホームページの閲覧の手間の軽減を行うことができない。
【特許文献１】特開２００３−４６４６５号公報
【特許文献２】特開２００２−５１３００号公報
【特許文献３】特開２００５−１２３３３号公報
【特許文献４】特開２００４−１３５２７３号公報
【発明の開示】
【発明が解決しようとする課題】
【０００９】
本発明は、上記問題を解決するためになされたものであり、ユーザが、特定文字が含まれる場面を探す手間を軽減することができると共に、プレゼント応募等の応募用の葉書の作成、特定文字が含まれる場面からのＴＶ番組の再生の際における手間の軽減、又は特定文字が示すホームページの閲覧の手間の軽減を行うことができるハードディスクレコーダを提供することを目的とする。
【課題を解決するための手段】
【００１０】
上記目的を達成するために請求項１の発明は、葉書を印刷することが可能である印刷機に接続されたコンピュータにネットワークを介して接続され、前記コンピュータとの間でデータの送受信を行うためのネットワークインタフェースと、テレビジョン放送信号に基づく映像及び音声を含むＴＶ番組を記録するためのハードディスクと、装置各部を制御する制御手段とを備えたハードディスクレコーダにおいて、前記ＴＶ番組の映像に含まれる文字を認識する文字認識手段と、前記文字認識手段が認識した文字に、郵便番号、住所、又は日付などの懸賞応募情報を案内する文字（以下、特定文字という）が含まれているか否かを検知する特定文字検知手段とをさらに備え、前記制御手段は、前記ＴＶ番組を前記ハードディスクに記録するときに、前記文字認識手段を用いて、該ＴＶ番組の映像に含まれる文字を認識した後、この認識した文字に対して、前記特定文字検知手段を用いて、特定文字が含まれるか否かを検知し、前記検知の結果、特定文字が含まれていると検知した場合、特定文字が含まれている映像の静止画を前記コンピュータに送信し、該コンピュータに接続された印刷機が、該静止画に含まれている特定文字を葉書に印刷するように制御するものである。
【００１１】
請求項２の発明は、テレビジョン放送信号に基づく映像及び音声を含むＴＶ番組を記録するためのハードディスクと、前記ハードディスクに記録されたＴＶ番組の再生、又はＴＶ番組の再生場面の選択などの操作をするためにユーザにより操作される操作手段と、装置各部を制御する制御手段とを備えたハードディスクレコーダにおいて、前記ＴＶ番組の映像に含まれる文字を認識する文字認識手段と、前記文字認識手段が認識した文字に、安売り、生活雑貨、又はレストランなどの店舗情報を案内する文字（以下、特定文字という）が含まれているか否か検知する特定文字検知手段と、前記ＴＶ番組の再生開始からの経過時間を前記ハードディスクに記録する経過時間記録手段とをさらに備え、前記制御手段は、前記ＴＶ番組を前記ハードディスクに記録するときに、前記文字認識手段を用いて、該ＴＶ番組の映像に含まれる文字を認識した後、この認識した文字に対して、前記特定文字検知手段を用いて、特定文字が含まれるか否かを検知し、前記検知の結果、特定文字が含まれていると検知した場合、前記経過時間記録手段を用いて、ＴＶ番組の再生開始から特定文字が含まれている場面までの経過時間を、前記ハードディスクに記録し、前記操作手段を用いてユーザにより、前記ハードディスクに記録された、前記特定文字が含まれる場面の再生が選択されると、該特定文字が含まれる場面から前記ＴＶ番組を再生するものである。
【００１２】
請求項３の発明は、インターネット上のホームページ等を閲覧することができるブラウザ機能を有するコンピュータにネットワークを介して接続され、前記コンピュータとの間でデータの送受信を行うためのネットワークインタフェースと、テレビジョン放送信号に基づく映像及び音声を含むＴＶ番組を記録するためのハードディスクと、装置各部を制御する制御手段とを備えたハードディスクレコーダにおいて、前記ＴＶ番組の映像に含まれる文字を認識する文字認識手段と、前記文字認識手段が認識した文字に、ＵＲＬ（Ｕｎｉｆｏｒｍ  Ｒｅｓｏｕｒｃｅ  Ｌｏｃａｔｏｒ）などのホームページを案内する文字（以下、特定文字という）が含まれているか否か認識する特定文字検知手段とをさらに備え、前記制御手段は、前記ＴＶ番組を前記ハードディスクに記録するときに、前記文字認識手段を用いて、該ＴＶ番組の映像に含まれる文字を認識した後、この認識した文字に対して、前記特定文字検知手段を用いて、特定文字が含まれるか否かを検知し、前記検知の結果、特定文字が含まれていると検知した場合、認識した特定文字を前記コンピュータに送信するものである。
【００１３】
請求項４の発明は、テレビジョン放送信号に基づく映像及び音声を含むＴＶ番組を記録するハードディスクと、装置各部を制御する制御手段とを備えたハードディスクレコーダにおいて、前記ＴＶ番組の映像に含まれる文字を認識する文字認識手段と、前記文字認識手段が認識した文字に、住所、電話番号、ＵＲＬ等のユーザへの案内情報を表す文字（以下、特定文字）が含まれるか否かを検知する特定文字検知手段と、前記ＴＶ番組の再生開始からの経過時間を前記ハードディスクに記録する経過時間記録手段とをさらに備え、前記制御手段は、前記ＴＶ番組を前記ハードディスクに記録するときに、前記文字認識手段を用いて、該ＴＶ番組の映像に含まれる文字を認識した後、この認識した文字に対して、前記特定文字検知手段を用いて、特定文字が含まれるか否かを検知し、前記検知の結果、特定文字が含まれていると検知した場合、前記経過時間記録手段を用いて、ＴＶ番組の再生開始から特定文字が含まれている場面までの経過時間を、前記ハードディスクに記録するものである。
【発明の効果】
【００１４】
請求項１に記載の発明によれば、特定文字が含まれている映像の静止画をコンピュータに送信し、コンピュータに接続された印刷機を用いて、静止画に含まれている特定文字を葉書に印刷することができる。そのため、ユーザが、応募用の葉書を作成する手間を軽減することができる。
【００１５】
請求項２に記載の発明によれば、操作手段を用いてユーザにより、ハードディスクに記録された、特定文字が含まれる場面の再生が選択されると、特定文字が含まれる場面から前記ＴＶ番組を再生することができる。そのため、従来のように、ユーザが、ハードディスクに記録されたＴＶ番組を再生、早送り、又は巻き戻しをして、特定文字が含まれている場面を探す必要がないので、ユーザが、特定文字が含まれる場面を探す手間を軽減して、特定文字が含まれる場面からのＴＶ番組の再生を容易に行うことができる。
【００１６】
請求項３に記載の発明によれば、認識した特定文字をコンピュータに送信することできるので、ユーザが、特定文字が示すホームページ等を、上記コンピュータを用いて容易に閲覧することができる。
【００１７】
請求項４に記載の発明によれば、ＴＶ番組の再生開始から特定文字が含まれている場面までの経過時間を、ハードディスクに記録することができる。そのため、ユーザが、ハードディスクに記録されたＴＶ番組の特定文字が含まれている場面を容易に探すことができる。
【発明を実施するための最良の形態】
【００１８】
以下、本発明に係る第１の実施形態について、図１及び図２を参照して説明する。図１は、ＴＶ番組を記録可能なハードディスクレコーダ３、ハードディスクレコーダ３に接続されたテレビ１とパソコン（コンピュータ）４、及びパソコン４に接続されたプリンタ５（印刷機）から構成されるネットワークシステムの外観を示し、図２は、ハードディスクレコーダ３の内部構成を示す。テレビ１は、映像及び音声から成るＴＶ番組を表示、及び音声出力するものであり、伝送ケーブル２を介して、ハードディスクレコーダ３と接続され、ハードディスクレコーダ３からＴＶ番組等を受信する。
【００１９】
ハードディスクレコーダ３は、伝送ケーブル２にＴＶ番組等を出力する出力部３１と、各種のメッセージ等を表示する表示部３２と、アンテナ３０を介してＴＶ番組を受信するチューナ３３と、ネットワークケーブル６を介してパソコン４とデータの送受信を行うためのネットワークインタフェース３７と、チューナ３３から受信したＴＶ番組を記録するＨＤＤ３５（ハードディスク）と、ＨＤＤに記録されたＴＶ番組の再生、又はＴＶ番組の再生場面の選択などの操作をするためにユーザにより操作される操作部３６と、ハードディスクレコーダ３全体の動作を制御する制御用マイコン３８と、制御用マイコン３８の動作プログラムを格納するＲＯＭ３４とを備えている。
【００２０】
制御用マイコン３８は、ＴＶ番組の映像に含まれる文字を認識する文字認識手段と、文字認識手段が認識した文字に、郵便番号、住所、又は日付などの懸賞応募情報を案内する文字（以下、特定文字という）が含まれているか否かを検知する特定文字検知手段として機能する。
【００２１】
パソコン４は、ネットワークケーブル６を介してハードディスクレコーダ３に、ネットワークケーブル８を介してインターネット７に、プリンタケーブル９を介してプリンタ５にそれぞれ接続され、プリンタ５に対して、印刷の指示等を行う制御コマンド、及び印刷データを送信することができる。また、パソコン４は、静止画に含まれる特定文字に対して文字認識を行い、認識した特定文字を含む印刷データをプリンタ５に送信することができる。
【００２２】
プリンタ５は、プリンタケーブル９を介して、パソコン４に接続され、パソコン４から送信された制御コマンド及び印刷データに従って、葉書等に、宛名、住所などを印刷することができる。
【００２３】
次に、ＴＶ番組をＨＤＤ３５に記録するときのネットワークシステムの処理について、図３を参照して説明する。制御用マイコン３８は、ＴＶ番組をＨＤＤ３５に記録するときに（Ｓ１）、ＴＶ番組の映像に含まれる文字を認識した後（Ｓ２）、この認識した文字に対して、特定文字が含まれるか否かを検知し（Ｓ３）、この検知の結果、特定文字が含まれていると検知した場合（Ｓ４でＹＥＳ）、特定文字が含まれている映像の静止画をパソコン４に送信する（Ｓ５）。一方、Ｓ３の検知の結果、特定文字が含まれていると検知しなかった場合（Ｓ４でＮＯ）、上記Ｓ１以降の処理を繰り返す。
【００２４】
パソコン４は、上記Ｓ５において送信された静止画を受信して、この静止画に含まれる特定文字を認識し（Ｓ６）、認識した特定文字を含む印刷データ、及び葉書への印刷指示用の制御コマンドを、プリンタ５に送信する（Ｓ７）。これにより、プリンタ５が、パソコン４から送信された印刷データ及び制御コマンドに従って葉書を印刷し（Ｓ８）、処理を終了する。
【００２５】
上記のように、第１の実施形態に係るハードディスクレコーダ３によれば、制御用マイコン３８が、特定文字が含まれている映像の静止画を検知したとき、この静止画をパソコン４に送信し、パソコン４が、受信した静止画に含まれる特定文字を認識し、認識した特定文字をプリンタ５に送信し、プリンタ５が特定文字を葉書に印刷する。そのため、ユーザが、応募用の葉書を作成する手間を軽減することができる。
【００２６】
次に、本発明に係る第２の実施形態について、図面を参照して説明する。本実施形態は、ハードディスクレコーダ３の制御用マイコン３８が、ＴＶ番組の映像に含まれる文字を認識する文字認識手段と、文字認識手段が認識した文字に、安売り、生活雑貨、又はレストランなどの店舗情報を案内する文字（以下、特定文字という）が含まれているか否か検知する特定文字検知手段と、ＴＶ番組の再生開始からの経過時間をＨＤＤ３５に記録する経過時間記録手段として機能すること以外は、前述した図１と同様のネットワークシステム構成であり、また、ハードディスクレコーダ３の内部構成も図２と同様である。
【００２７】
次に、ＴＶ番組をＨＤＤ３５に記録するときのネットワークシステムの処理について、図４を参照して説明する。制御用マイコン３８は、ＴＶ番組をＨＤＤ３５に記録するときに（Ｓ１１）、ＴＶ番組の映像に含まれる文字を認識した後（Ｓ１２）、この認識した文字に対して、特定文字（キーワード）が含まれるか否かを検知し（Ｓ１３）、この検知の結果、特定文字が含まれていると検知した場合（Ｓ１４でＹＥＳ）、ＴＶ番組の再生開始から特定文字が含まれている場面までの経過時間を、ＨＤＤ３５に記録する（Ｓ１５）。一方、Ｓ１３の検知の結果、特定文字が含まれていると検知しなかった場合（Ｓ１４でＮＯ）、上記Ｓ１１以降の処理を繰り返す。
【００２８】
ユーザが、操作部３６を操作することにより、ＨＤＤ３５に記録された特定文字が含まれる場面の再生を選択すると（Ｓ１６）、制御用マイコン３８が、上記Ｓ１５で記録した経過時間の中から、選択したＴＶ番組の場面に対応する経過時間をＨＤＤ３８から読み取り、読み取った経過時間からＴＶ番組を再生すると共に、伝送ケーブル２を介して、再生したＴＶ番組のデータをテレビ１に送信し（Ｓ１７）、処理を終了する。
【００２９】
上記のように、第２の実施形態に係るハードディスクレコーダ３によれば、ユーザが、操作部３６を操作することにより、ＨＤＤ３５に記録された、特定文字が含まれる場面の再生を選択すると、制御用マイコン３８が、選択したＴＶ番組の場面に対応する経過時間をＨＤＤ３８から読み取ることにより、特定文字が含まれる場面からＴＶ番組を再生することができる。そのため、従来のように、ユーザが、ＨＤＤ３５に記録されたＴＶ番組を再生、早送り、又は巻き戻しを行うことにより、特定文字が含まれている場面を探す必要がないので、ユーザが、特定文字が含まれる場面を探す手間を軽減することができる。
【００３０】
次に、本発明に係る第３の実施形態について、図面を参照して説明する。本実施形態は、ハードディスクレコーダ３の制御用マイコン３８が、ＴＶ番組の映像に含まれる文字を認識する文字認識手段と、文字認識手段が認識した文字に、ＵＲＬ（Ｕｎｉｆｏｒｍ  Ｒｅｓｏｕｒｃｅ  Ｌｏｃａｔｏｒ）などのホームページを案内する文字（以下、特定文字という）が含まれているか否か認識する特定文字検知手段として機能し、また、パソコン４は、インターネット７上のホームページ等を閲覧することができるブラウザ機能を有すること以外は、前述した図１と同様のネットワークシステム構成であり、また、ハードディスクレコーダ３の内部構成も図２と同様である。
【００３１】
次に、ＴＶ番組をＨＤＤ３５に記録するときのネットワークシステムの処理について、図５を参照して説明する。制御用マイコン３８は、ＴＶ番組をＨＤＤ３５に記録するときに（Ｓ３１）、ＴＶ番組の映像に含まれる文字を認識した後（Ｓ３２）、この認識した文字に対して、特定文字（キーワード）が含まれるか否かを検知し、（Ｓ３３）。この検知の結果、特定文字が含まれていると検知した場合（Ｓ３４でＹＥＳ）、認識した特定文字をパソコン４に送信する（Ｓ３５）。一方、Ｓ３３の検知の結果、特定文字が含まれていると検知しなかった場合（Ｓ３４でＮＯ）、制御用マイコン３８は、上記Ｓ３１以降の処理を繰り返す。
【００３２】
パソコン４は、上記Ｓ３５により送信された特定文字を受信し、ブラウザ機能を用いて、受信した特定文字に含まれるＵＲＬに対応するホームページに接続した後、ホームページを表示し（Ｓ３６）、処理を終了する。
【００３３】
上記のように、第３の実施形態に係るハードディスクレコーダ３によれば、制御用マイコン３８が、パソコン４に認識した特定文字を送信する。これにより、パソコン４が、ブラウザ機能を用いて、受信した特定文字に含まれるＵＲＬに接続した後、ホームページを表示することができる。そのため、ユーザが、特定文字が示すホームページ等を、容易に閲覧することができる。
【００３４】
なお、本発明は、上記各実施形態の構成に限られず、発明の趣旨を変更しない範囲で種々の変形が可能である。例えば、上記第１の実施形態と第２の実施形態を組み合わせて、ユーザが、ハードディスクレコーダの操作部を操作し、ＨＤＤに記録された特定文字が含まれる場面を選択したときに、制御用マイコンが、特定文字を含む静止画をパソコンに送るものであってもよい。
【００３５】
また、上記第２の実施形態と第３の実施形態とを組み合わせて、ユーザが、ハードディスクレコーダの操作部を操作し、ＨＤＤに記録された特定文字が含まれる場面を選択したときに、ＵＲＬ等をパソコンに送信するものであってもよい。
【図面の簡単な説明】
【００３６】
【図１】本発明の第１の実施形態に係るハードディスクレコーダ、テレビ、パソコン、プリンタを示す図。
【図２】上記ハードディスクレコーダの内部構成を示す図。
【図３】上記ハードディスクレコーダにおける処理の手順を示す図。
【図４】本発明の第２の実施形態に係るハードディスクレコーダにおける処理の手順を示す図。
【図５】本発明の第３の実施形態に係るハードディスクレコーダにおける処理の手順を示す図。
【符号の説明】
【００３７】
３  ハードディスクレコーダ
４  パソコン（コンピュータ）
５  プリンタ（印刷機）
７  インターネット
３５  ＨＤＤ（ハードディスク）
３６  操作部（操作手段）
３７  ネットワークインタフェース
３８  制御用マイコン（制御手段、文字認識手段、特定文字検知手段、経過時間記録手段）
【図１】
2007228206.tif 000003
【図２】
2007228206.tif 000004
【図３】
2007228206.tif 000005
【図４】
2007228206.tif 000006
【図５】
2007228206.tif 000007